(57)【要約】      （修正有）【課題】祈願する者に御利益を感じさせ易く、その者の、目標達成の為のモチベーションを高める事ができ、しかも狭い場所で提供する事も容易に行える構造を実現する。【解決手段】基板１と、衣装模型２と、御守り３と、旗模型４ａと、表示板５と、ラベル６と、鈴７とを備える。このうちの旗模型４ａは、旗竿１５の下端部を支持孔１６に抜き差しする事で、上記基板１に対し着脱自在である。求める者が祈願する内容に応じて上記旗模型４ａやラベル６を交換する事により、当該旗模型４ａの幟１７ａやラベル６に記載されている祈願の内容を変えて、上記課題を解決する。【選択図】図３
0003131741.tif 000002
【実用新案登録請求の範囲】
【請求項１】
基板と、この基板の上面の幅方向中央部から上方に立ち上がった状態で設けられた支持枠に支持された衣装模型と、上記基板の上面でこの衣装模型の前面中央位置部分に設置された御守りと、上記基板の上面片隅部に開口する状態で設けられた支持孔に下端部を抜き差し自在な旗竿及びこの旗竿により掲げられ、祈願する内容を記載した幟から成る旗模型と、上記基板の上面他隅部に設置された、祈願する者を表示する為の表示板とを備えた祈願用置物。
【請求項２】
衣装模型が法被の模型であり、この法被の襟部に、祈願用置物を提供する寺社の名称と普遍的な祈願の内容とを記載した、請求項１に記載した祈願用置物。
【請求項３】
表面に祈願する内容を記載し、裏面に粘着性を有する接着剤を塗布したラベルを、衣装模型の前面に貼付した、請求項１〜２のうちの何れか１項に記載した祈願用置物。
【考案の詳細な説明】
【技術分野】
【０００１】
この考案は、正月等に神社・仏閣で参詣人に提供し、この参詣人が自宅に持ち帰って願い事をする為に拝む対象とする、祈願用置物の改良に関する。
【背景技術】
【０００２】
初詣等で神社・仏閣に参詣した者に、当該神社・仏閣の表示を付すると共に、祈願の内容を記載した祈願用置物を提供する事が行なわれている。この様な祈願用置物として、例えば特許文献１に記載されているものが知られている。
従来から一般的に知られている祈願用置物は、祈願の内容と置物とが１対１で対応している。これに対して、神社・仏閣に参詣する人の願い事は多種であり、大きく分けても、「健康、家内安全、交通安全」、「恋愛、良縁」、「金運、商売」、「仕事、厄除け、学業」等に分けられる。
【０００３】
１種類の祈願用置物でこれら総てに対応しようとすれば、１個の祈願用置物に種々の願毎を記載しなければならず、当該置物を見た者に煩雑な感じを与える事が避けられない。又、この様に雑多な願毎を表示した祈願用置物の場合には、祈願する人に関係のない内容迄表示されている為、その人が感じる御利益が薄れる可能性がある。祈願用置物を部屋等に飾る事は、祈願する人に御利益を感じさせる事で、その人のモチベーションを高め、目的達成の為の努力を促す事が重要である為、祈願する人に感じさせる御利益が薄れる事は好ましくない。
【０００４】
これに対して、神社・仏閣で祈願用置物を提供する場所に、上記「健康、家内安全、交通安全」、「恋愛、良縁」、「金運、商売」、「仕事、厄除け、学業」毎に異なる祈願用置物を用意し、その人が祈願する内容毎に異なる祈願用置物を提供する様にすれば、御利益を感じる程度を向上させる面からは好ましい。但し、御守り等に比べて嵩張るだけでなく、そのままでは重ねて置く事が難しい祈願用置物を複数種類用意し、祈願の種類に応じて提供する祈願用置物を選択する事は、提供する場所が狭い場合には困難である。
【０００５】
【特許文献１】実用新案登録第３０９０５７８号公報
【考案の開示】
【考案が解決しようとする課題】
【０００６】
本考案は、上述の様な事情に鑑みて、祈願する人に御利益を感じさせ易く、その人の、目標達成の為のモチベーションを高める事ができ、しかも狭い場所で提供する事も容易に行なえる祈願用置物を実現すべく考案したものである。
【課題を解決するための手段】
【０００７】
本考案の祈願用置物は、少なくとも、基板と、衣装模型と、御守りと、旗模型と、表示板とを備える。
このうちの基板は、木板等により、蒲鉾板の如き矩形平板状に造られたもので、神棚、机上等に載置自在な大きさを有する。
又、上記衣装模型は、衣装を簡略化（モディファイ）して縮小したもので、上記基板の上面に、支持枠により支持されている。この支持枠は、上記衣装模型を拡げた状態で支持できるものであれば、特にその形状及び構造は問わない。何れにしても、上記支持枠は、上記基板の幅方向中央部から上方に立ち上がった状態で設けられている。
又、上記御守りは上記基板の上面で、上記衣装模型の前面中央位置部分に設置されている。
又、上記旗模型は、上記基板の上面片隅部に開口する状態で設けられた支持孔に下端部を抜き差し自在な旗竿と、この旗竿により掲げられた、祈願する内容を記載した幟とから成る。
更に、上記表示板は、上記基板の上面他隅部に設置されたもので、祈願する者を表示する。
【０００８】
上述の様な、本考案の祈願用置物を実施する場合に、例えば請求項２に記載した様に、上記衣装模型を法被の模型とする。そして、この法被の襟部に、祈願用置物を提供する寺社の名称と、普遍的な祈願の内容とを記載する。
或いは、請求項３に記載した様に、表面に祈願する内容を記載し、裏面に粘着性を有する接着剤を塗布したラベルを、上記衣装模型の前面に貼付する。
【考案の効果】
【０００９】
上述の様に構成する本発明の祈願用置物は、神社・仏閣で、次の様にして、参詣して祈願する者に提供する。神社・仏閣の社務所等、上記祈願用置物を提供する場所では、この祈願用置物のうちの旗模型を、他の部分と別に保管しておく。又、この旗模型は、その神社・仏閣に参拝する者が祈願する可能性のある事項に合わせて、複数種類用意し、各種類毎に分けて保管しておく。
【００１０】
一方、神社・仏閣に参詣して祈願し、更に祈願用置物を求めようとする者は、上記社務所等の祈願用置物を提供する場所で、祈願しようとする内容、及び、自身の氏名、社名、商号等の自身を表示する内容を知らせる。すると、上記祈願用置物を提供する側では、上記祈願しようとする内容に応じた幟を備えた旗模型を構成する旗竿の下端部を、基板の上面片隅部に設けた支持孔に差し込むと共に、この基板の上面他隅部に設けた表示板に、上記氏名等の、表示する内容を記載する。この結果、上記祈願用置物を求めようとする者が祈願する内容を表した旗模型が組み込まれ、しかも、その人を表示した祈願用置物が、その者に提供される。
【００１１】
この様にして提供される祈願用置物は、旗模型を構成する幟に、各人が祈願する内容に応じた記載がなされており、しかも表示板にその者が表示された、各人毎に異なるものであるから、神仏の御利益を感じて、目標達成の為のモチベーションを、効果的に高める事ができる。
即ち、前述の様に構成し、上述の様に提供する本考案の祈願用置物によれば、祈願する者が感じる御利益の程度を向上させて、その者の、目標達成の為のモチベーションを効果的に高められる状態での提供が可能になる。
【考案を実施するための最良の形態】
【００１２】
図１〜３は、総ての請求項に対応する、本考案の実施の形態の１例を示している。本例の祈願用置物は、図３に示す様に、基板１と、衣装模型２と、御守り３と、旗模型４と、表示板５と、ラベル６と、鈴７とを備える。
このうちの基板１は、木板等により、蒲鉾板の如き矩形平板状に造られたもので、例えば前面幅が１０〜２０cm程度と、神棚、机上等に載置自在な大きさを有する。
【００１３】
又、上記衣装模型２は、衣装の一種である法被を簡略化（モディファイ）して縮小したもので、上記基板１の上面に、支持枠により支持されている。この支持枠は、上記衣装模型２を拡げた状態で支持できるものであれば良く、特にその形状及び構造は問わない。例えば、上記支持枠は、木板をＴ字形に組み合わせる事で構成する。そして、下端部を上記基板１の上面に結合固定し、上辺を上記衣装模型２の両袖内に挿入する。図示の例では、上記基板１の幅方向中央部上面にこの基板１よりも少し小さな上板８を、背面側に片寄せた状態で固定している。上記支持枠の下端部は、この上板８の背面中央部に、釘等により固定している。又、上記上板８の上面には、畳表等の上敷き９を被せて、上記衣装模型２が畳の上に設置された如き意匠を演出している。
【００１４】
本例の場合、上記衣装模型２は、法被の模型としており、この法被の左右両襟部１０に、祈願用置物を提供する寺社の名称１１と、普遍的な（各種祈願を含めた上位概念的な）祈願の内容１２とを、染め抜き等により記載している。又、上記法被の左右両袖部分１３、１３には、干支の模様１４、１４を、染め抜き等により記載している。尚、上記衣装模型２の裾部の意匠は、祈願用置物を提供する趣旨から、松竹梅等の縁起物の模様で構成している。
又、上記上板８の上面の幅方向中央部で上記衣装模型２の前側部分に、前記御守り３を設置している。この御守り３は、上記祈願用置物を提供する寺社で頒布しているものを使用し、両面テープ等により、上記衣装模型２の前側部分に、不用意に脱落しない様に設置している。
【００１５】
又、前記旗模型４は、旗竿１５と幟１７とを組み合わせて成り、このうちの幟１７に、上記祈願用置物を求める人に対応して、祈願する内容を、染め抜き等により記載している。又、上記旗竿１５は、その下端部を、上記基板１に対し着脱自在としている。この為に、この基板１の上面片隅部に支持孔１６を、この上面片隅部に開口する状態で設けている。この支持孔１６の内径は、上記旗竿１５の下端部の外径と一致させて、この旗竿１５の下端部をこの支持孔１６に抜き差し自在とし、差し込んだ状態で上記旗模型４が、上記基板１の上面片隅部に、がたつきなく支持される様にしている。尚、差し込み部のがたつきをより確実に防止する為に、上記旗竿１５の外径及び上記支持孔１６の内径を、下方に向かうに従って漸次小さくする事もできる。
【００１６】
又、前記表示板５は、上記基板１の上面他隅部に設置されたもので、祈願する者を表示する。この表示板５は、この基板１の上面他隅部に、木工用ボンド等の接着剤により、不用意に脱落しない様に装着されている。この様な表示板５の前面には、社務所に居て祈願用置物を求める者と応対した、神主、巫女、僧侶等が、その者の氏名、社名、商号等を、墨等で記載する。
又、本例の場合には、必要に応じて図３に示す様に、前記衣装模型２の一部前面に前記ラベル６を貼付し、このラベル６により、上記鈴７を吊り下げる。このラベル６は、表面に祈願する内容を記載しており、裏面に粘着性を有する接着剤を塗布している。
【００１７】
上述の様に構成する本例の祈願用置物を提供する神社・仏閣では、社務所等、上記祈願用置物を提供する場所に、この祈願用置物のうちの上記旗模型４、並びに、上記ラベル６及び上記鈴７を、他の部分、即ち、上記基板１と上記衣装模型２と前記御守り３と上記旗模型４と上記表示板５とを非分離に組み合わせたものと別に保管しておく。又、上記旗模型４及び上記ラベル６は、その神社・仏閣に参拝する者が祈願する可能性のある事項に合わせて、それぞれ複数種類ずつ用意し、各種類毎に分けて保管しておく。これに対して、上記基板１と上記衣装模型２と上記御守り３と上記旗模型４と上記表示板５とを非分離に組み合わせた物は、１種類のみ用意すれば足りる。
【００１８】
初詣等で神社・仏閣に参詣して祈願し、更に祈願用置物を求めようとする者は、上記社務所等の祈願用置物を提供する場所で、祈願しようとする内容、及び、自身の氏名、社名、商号等の自身を表示する内容を、上記祈願用置物を提供する側の人物である、神主、巫女、僧侶等に知らせる。すると、この提供する側の人物は、上記祈願しようとする内容に応じた旗模型４の下端部を、図２→図１に示す様に、上記基板１の上面片隅部に設けた支持孔１６に差し込むと共に、この基板１の上面他隅部に設けた上記標示板５に、祈願する者の氏名等、上記表示する内容を記載する。この結果、上記祈願用置物を求めようとする者が祈願する内容を表した旗模型４が組み込まれ、しかも、その者を表示した祈願用置物が、その者に提供される。
【００１９】
祈願する内容が異なる場合には、図３に示す様に、異なる旗模型４ａを、基板１に組み付ける。又、上記ラベル６及び上記鈴７に関しては、図１に示す様に組み付けなくても良いし、図３に示す様に組み付けても良い。組み付ける場合には、上記祈願用置物を求めようとする者が祈願する内容を記載したラベル６を組み付ける。
【００２０】
上述の様にして提供される本例の祈願用置物は、上記旗模型４、４ａの幟１７、１７ａに、各人が祈願する内容に応じた記載がなされており、しかも上記表示板５にその者が表示された、各人毎に異なるものになる。この為、上記祈願用置物を求めた者は、神仏の御利益を感じて、目標達成の為のモチベーションを、効果的に高める事ができる。又、この様にモチベーションを高める面から有効な祈願用置物を提供する為に、この祈願用置物を提供する側の寺社では、この祈願用置物を求める人が祈願すると考えられる内容に応じて複数種類の祈願用置物を用意しておく必要がない。この為、狭い場所で多数の人に各種祈願用置物を提供する事を容易に行なえる。
【図面の簡単な説明】
【００２１】
【図１】本考案の実施の形態の第１例を示す斜視図。
【図２】取付孔に旗模型を差し込む以前の状態で示す斜視図。
【図３】異なる旗模型を装着し、表示板の記載を変えると共に、ラベル及び鈴を装着した状態を示す斜視図。
【符号の説明】
【００２２】
１    基板
２    衣装模型
３    御守り
４、４ａ  旗模型
５    表示板
６    ラベル
７    鈴
８    上板
９    上敷き
１０    襟部
１１    名称
１２    内容
１３    袖部分
１４    模様
１５    旗竿
１６    支持孔
１７、１７ａ  幟
【図１】
0003131741.tif 000003
【図２】
0003131741.tif 000004
【図３】
0003131741.tif 000005
【手続補正書】
【提出日】平成19年2月20日(2007.2.20)
【手続補正１】
【補正対象書類名】図面
【補正対象項目名】全図
【補正方法】変更
【補正の内容】
【図１】
0003131741.tif 000006
【図２】
0003131741.tif 000007
【図３】
0003131741.tif 000008